(57)【要約】【課題】使用者の両眼の間隔の違いに影響を受けることなく、高い品質の画像表示を行うことができ、かつ、画像表示と周辺環境の視界を確保することができる画像表示装置を提供する。【解決手段】対象者の頭部に装着される装着具と、角度調整機構を介して装着具に保持され、対象者の眼に対して画像を投映する投映ユニットとを備え、投映ユニットは、画像を生成する画像生成部と、画像生成部を挟んで配置され、画像生成部で生成された画像を対象者の両眼のそれぞれに向けて投映する投映部と、投映部の間隔を調整可能とする間隔調整部とを備える。【選択図】図１
2019101085.tif 000002
【特許請求の範囲】
【請求項１】
対象者の頭部に装着される装着具と、
角度調整機構を介して前記装着具に保持され、前記対象者の眼に対して画像を投映する投映ユニットとを備え、
前記投映ユニットは、
前記画像を生成する画像生成部と、
前記画像生成部を挟んで配置され、前記画像生成部で生成された前記画像を前記対象者の両眼のそれぞれに向けて投映する投映部と、
前記投映部の間隔を調整可能とする間隔調整部とを備えることを特徴とする画像表示装置。
【請求項２】
前記間隔調整部は、
前記投映部から延びるように設けられた調整部材と、
前記調整部材が、前記投映部の配置方向に沿って変位可能となるように案内する案内部材とを備えることを特徴とする請求項１に記載の画像表示装置。
【請求項３】
前記案内部材は、前記投映部の配置方向における、前記調整部材の変位を所定範囲内に規制する規制部を備えることを特徴とする請求項２に記載の画像表示装置。
【請求項４】
前記角度調整機構は、前記装着具に対する前記投映ユニットの角度を上下に変更可能とすること
を特徴とする請求項１に記載の画像表示装置。
【請求項５】
前記画像生成部で生成された画像は、前記投映部に設けられた有機ＥＬ素子上に生成されること
を特徴とする請求項１に記載の画像表示装置。
【請求項６】
前記投映部は、前記画像生成部で生成された前記画像が前記対象者の左右の眼にそれぞれ投映されるように反射させる反射部材を備えること
を特徴とする請求項１に記載の画像表示装置。
【請求項７】
前記装着具は金属の曲げ加工によって形成されていること
を特徴とする請求項１に記載の画像表示装置。
【請求項８】
前記対象者の鼻の形状に合わせて弾性変形可能な鼻当て部を有すること
を特徴とする請求項１に記載の画像表示装置。
【請求項９】
前記画像生成部には、前記画像を生成するためのデータが外部の電子機器から供給され、
前記装着具には、前記画像生成部と前記電子機器とを互いに接続するコードを保持する保持部が設けられていること
を特徴とする請求項１から請求項８のいずれか１項に記載の画像表示装置。
【発明の詳細な説明】
【技術分野】
【０００１】
本発明は、対象者の眼に対して画像を投映することによって画像を表示させる画像表示装置に関する。
【背景技術】
【０００２】
特許文献１に記載の頭部着用画像表示装置は、画面又は画像から発するビームをビーム枝に分光し、ビーム枝を使用者の両眼の方に向ける光学要素と、ビーム枝を瞳孔内に反射させる光学要素と、反射用光学要素と瞳孔との間、及び／又は分光用光学要素と反射用光学要素との間に配置された集束要素とを含む。これにより、半透過鏡に起因する光度損失なしにテレビの画像又は画面を両眼で捕らえ得る小型、軽量、コンパクトな頭部着用画像表示装置を提供できるとしている。
【０００３】
特許文献２に記載の表示装置は、眼鏡型のフレーム部と、本体部に取り付けられ、マイクロディスプレイを有するディスプレイ部とを有し、フレーム部は、頭部に装着した際に顔の前方に位置するリム部と、リム部の両側に接続された一対のテンプル部とを有する。これにより、頭部に装着した状態でも、ディスプレイ部以外の視界を十分確保することができるとしている。
【先行技術文献】
【特許文献】
【０００４】
【特許文献１】特表平９−５００９７５号公報
【特許文献２】特開２００３−４６９０３号公報
【発明の概要】
【発明が解決しようとする課題】
【０００５】
しかしながら、人間の両眼の間隔は個人ごとに異なっており、特許文献１の頭部着用画像表示装置や特許文献２の表示装置のように両眼のすぐ前に配置した光学要素やディスプレイ部から両眼に対して画像光を投光する構成においては、両眼の間隔のわずかな違いによって、使用者の眼における投光位置がずれてしまうため、これによって使用者の視覚がとらえる画像が異なってしまうおそれがある。
【０００６】
画像表示装置のさまざまな利用態様の１つとして、使用者の活動中において必要に応じて画像表示装置による表示を確認する場合がある。例えば、博物館で見学をしている際に、所望のタイミングで展示物の情報を、画像表示装置の表示によって確認する場合がある。この場合、画像表示装置の表示を見ていないときは、歩行のためや展示物を見るために視界を確保しておく必要がある一方で、展示物の情報を得たいときには迅速に画像観察が可能となることが求められる。しかしながら、特許文献１の頭部着用画像表示装置や特許文献２の表示装置においては、装置の画像表示と周辺環境の視界を同時に確保したり、直ちに切り替えることは困難であった。
【０００７】
そこで本発明は、使用者の両眼の間隔の違いに影響を受けることなく、高い品質の画像表示を行うことができ、かつ、画像表示と周辺環境の視界を確保することができる画像表示装置を提供することを目的とする。
【課題を解決するための手段】
【０００８】
上記課題を解決するために、本発明の画像表示装置は、対象者の頭部に装着される装着具と、角度調整機構を介して装着具に保持され、対象者の眼に対して画像を投映する投映ユニットとを備え、投映ユニットは、画像を生成する画像生成部と、画像生成部を挟んで配置され、画像生成部で生成された画像を対象者の両眼のそれぞれに向けて投映する投映部と、投映部の間隔を調整可能とする間隔調整部とを備えることを特徴とする。
【０００９】
本発明の画像表示装置において、間隔調整部は、投映部から延びるように設けられた調整部材と、調整部材が、投映部の配置方向に沿って変位可能となるように案内する案内部材とを備えることを特徴とする。
【００１０】
本発明の画像表示装置において、案内部材は、投映部の配置方向における、調整部材の変位を所定範囲内に規制する規制部を備えることを特徴とする。
【００１１】
本発明の画像表示装置において、角度調整機構は、装着具に対する投映ユニットの角度を上下に変更可能とすることを特徴とする。
【００１２】
本発明の画像表示装置において、画像生成部で生成された画像は、投映部に設けられた有機ＥＬ素子上に生成されることを特徴とする。
【００１３】
本発明の画像表示装置において、投映部は、画像生成部で生成された画像が対象者の左右の眼にそれぞれ投映されるように反射させる反射部材を備えることを特徴とする。
【００１４】
本発明の画像表示装置において、装着具は金属の曲げ加工によって形成されていることを特徴とする。
【００１５】
本発明の画像表示装置において、対象者の鼻の形状に合わせて弾性変形可能な鼻当て部を有することを特徴とする。
【００１６】
本発明の画像表示装置において、画像生成部には、画像を生成するためのデータが外部の電子機器から供給され、装着具には、画像生成部と電子機器とを互いに接続するコードを保持する保持部が設けられていることを特徴とする。
【発明の効果】
【００１７】
本発明に係る画像表示装置によると、使用者の両眼の間隔の違いに影響を受けることなく、高い品質の画像表示を行うことができ、かつ、画像表示と周辺環境の視界を確保することができる。
【図面の簡単な説明】
【００１８】
【図１】本発明の実施形態に係る画像表示装置を前方から見た斜視図である。
【図２】本発明の実施形態に係る画像表示装置を眼鏡とともに使用した状態を示す斜視図である。
【図３】本発明の実施形態に係る画像表示装置の背面図である。
【図４】本発明の実施形態における投映ユニット、角度調整機構、及び、装着具を斜め後方から見た斜視図である。
【図５】本発明の実施形態における投映ユニットの構成を示す斜視図である。
【図６】図５に示す投映ユニットにおいて、カバーを外した状態を示す斜視図である。
【図７】本発明の実施形態における第１投映部の分解斜視図である。
【図８】本発明の実施形態における第１投映部の分解斜視図である。
【図９】本発明の実施形態における第１投映部の斜視図である。
【図１０】本発明の実施形態に係る画像表示装置の機能ブロック図である。
【図１１】本発明の実施形態における投映ユニットにおける間隔調整部の部分を分解して示す斜視図である。
【図１２】本発明の実施形態における間隔調整部を分解して示す斜視図である。
【図１３】本発明の実施形態において、左右の投映部を最も近づけた状態を示す平面図である。
【図１４】本発明の実施形態において、左右の投映部を最も離した状態を示す平面図である。
【発明を実施するための形態】
【００１９】
以下、本発明の実施形態に係る画像表示装置について図面を参照しつつ詳しく説明する。
図１は、本実施形態に係る画像表示装置１０を前方から見た斜視図である。図２は、画像表示装置１０を眼鏡１００とともに使用した状態を示す斜視図である。図３は、画像表示装置１０の背面図である。図４は、本実施形態における投映ユニット４０、角度調整機構３０、及び、装着具２０を斜め後方から見た斜視図であって、投映ユニット４０に結合する前の状態を示している。図１には、基準座標としてＸ−Ｙ−Ｚ座標が示されている。以下の説明において、図１などにおけるＺ１−Ｚ２方向を上下方向、Ｘ１−Ｘ２方向を左右方向、Ｙ１−Ｙ２方向を前後方向と称するが、画像表示装置１０の姿勢等に応じて任意に設定できる。Ｘ１−Ｘ２方向とＹ１−Ｙ２方向は互いに垂直であり、これらを含むＸ−Ｙ平面はＺ１−Ｚ２方向に垂直である。また、上側（Ｚ１側）から下側（Ｚ２側）を見た状態を平面視と言うことがある。
【００２０】
図１乃至図４に示すように、本実施形態に係る画像表示装置１０は、対象者の頭部に装着される装着具２０と、角度調整機構３０を介して装着具２０に保持された投映ユニット４０とを備える。
装着具２０は、弾性を有する金属の板材の曲げ加工によって形成される。装着具２０は、対象者の頭部の側部の略全周に沿って装着可能となるように、平面視楕円形状をなしており、その弾性によって上記楕円形状が開閉自在であり、頭部に装着した状態においては上記楕円形状を閉じようとする弾性力によってその位置が保持される。金属の曲げ加工によって装着具２０を形成するため、材料の選択が容易であり、かつ、安価に装着具２０を製造することができる。装着具２０に用いる金属としては、投映ユニット４０を確実に保持した状態で、対象者に不快感を与えない程度の締め付け力を維持できる弾性を有するものが好ましく、例えばチタンが挙げられる。
【００２１】
図２に示すように、投映ユニット４０には、外部の電子機器１０２に接続されたコード１０１が接続されている。電子機器１０２は、ケーブル１０３を介して携帯型電子機器１０４（例えばスマートフォン）に接続されている。図１０に示すように、電子機器１０２は、ＨＤＭＩレシーバー１０２ａと電源１０２ｂを備え、ケーブル１０３を介して、ＨＤＭＩレシーバー１０２ａが携帯型電子機器１０４からＨＤＭＩ信号（登録商標）を受け取り、投映ユニット４０側へ出力する。これによって、携帯型電子機器１０４から、電子機器１０２を介して、投映ユニット４０に対して画像を生成するためのデータが送出される。ここで、図１０は、画像表示装置１０の機能ブロック図である。
また、電源１０２ｂは、携帯型電子機器１０４に対して電力を供給する。画像表示装置１０は、コード１０１を通じて電子機器１０２から電力の供給を受けるが、内部に電源（不図示）を備えるようにしてもよい。また、電子機器１０２に代えて画像表示装置１０内にＨＤＭＩレシーバーを設けてもよい。
【００２２】
図１乃至図４に示すように、コード１０１は、装着具２０の途中において曲げ加工によって設けられた保持部２１に係止されるように引き回され、かつ、引き回しの途中において装着具２０に設けた複数のフック部２２に係止されている。これによって、コード１０１は装着具２０に沿って延びるように配置されるため、装着具２０の装着状態を乱すことがなく、かつ、画像表示や対象者の動作の妨げとなることがない。また、コード１０１の先端は、投映ユニット４０の本体部４１に設けた導入孔４３内に挿通され、本体部４１内に配置された複数の集積回路からなる画像生成部４４（図１０参照）に対して電気的に接続される。
【００２３】
図４に示すように、角度調整機構３０は、装着具２０に固定された支持材３１と、軸部材３３を介して支持材３１に支持された長板材３２とからなり、長板材３２は軸部材３３を中心として上下（図１乃至図４の上下方向）に揺動可能とされている。支持材３１及び長板材３２は、投映ユニット４０の位置を維持できるような硬性を有する材料、例えば金属やプラスチックで形成する。軸部材３３の先端部、すなわち装着具２０から遠い位置の端部には、投映ユニット４０の本体部４１に設けた結合部４２との結合に用いられる結合孔部３４が左右方向に沿って貫通するように設けられている。この結合孔部３４を介して、長板材３２と投映ユニット４０とを互いに結合させることにより、装着具２０に対する投映ユニット４０の角度が上下に変更可能となる。したがって、角度調整機構３０を用いることにより、装着具２０を頭部に装着したときに、投映ユニット４０を対象者の眼の高さに配置した状態と、投映ユニット４０を眼よりも高い位置に配置した状態とを任意に選択することができる。ここで、眼よりも高い位置としては、長板材３２の角度に応じた任意の複数の位置を選択することができる。
【００２４】
装着具２０には鼻当て部３６が設けられている。鼻当て部３６は、上端が装着具２０に固定された線状の支持部３５の下端に設けられており、左右に二股に分かれた形状を有する。支持部３５は、下端側ほど後方（装着具２０を装着した対象者側）へ向かうような湾曲形状をなしている。支持部３５と鼻当て部３６は変形可能な弾性を有する材料、例えば金属やプラスチックで構成され、一体で成形してもよいし、別体でそれぞれ形成してもよい。支持部３５は、その弾性によって、鼻当て部３６を対象者の鼻に対して適切な前後方向の圧力で接触させる。鼻当て部３６は、その弾性によって、鼻の形状に合わせて変形する。これらにより、鼻当て部３６が適切な圧力で鼻に確実にフィットするため、装着具２０の位置が保持されやすくなる。なお、支持部３５及び鼻当て部３６は、図２に示すように、眼鏡１００を装着した状態でも使用可能なように、支持部３５及び鼻当て部３６が眼鏡１００と干渉しないような十分な長さで構成されている。したがって、本実施形態に係る画像表示装置１０は、眼鏡１００を装着した状態でも使用することができる。
【００２５】
図５は、投映ユニット４０の構成を示す斜視図、図６は、図５に示す投映ユニット４０において、カバー４１ａを外した状態を示す斜視図である。図５又は図６に示すように、投映ユニット４０は、画像生成部４４を内蔵した本体部４１と、本体部４１を左右方向において挟むように配置された一対の投映部５０ａ、５０ｂとを備える。上記結合部４２は、本体部４１の外囲を覆うカバー４１ａの後部に設けられている。結合部４２には、左右方向（Ｘ１−Ｘ２方向）に沿って貫通した貫通孔４２ａが設けられ、貫通孔４２ａと、角度調整機構３０の結合孔部３４とにピンを挿通させることによって、投映ユニット４０が角度調整機構３０に対して上記ピンを中心として揺動可能となり、上下に角度変更可能となる。
【００２６】
図６においては、カバー４１ａを外した状態が示されており、投映ユニット４０の上部及び前部に画像生成部４４を構成する複数の集積回路がそれぞれ配置されている。図１０に示すように、画像生成部４４は、ＦＰＧＡ４４ａ（Ｆｉｅｌｄ−Ｐｒｏｇｒａｍｍａｂｌｅ  Ｇａｔｅ  Ａｒｒａｙ）と、ＲＯＭ４４ｂ（Rｅａｄ  Ｏｎｌｙ  Ｍｅｍｏｒｙ）と、ＰＬＬ４４ｃ（Ｐｈａｓｅ  Ｌｏｃｋｅｄ  Ｌｏｏｐ）とを有する。
【００２７】
ＦＰＧＡ４４ａは、ＨＤＭＩレシーバー１０２ａからの信号に基づいて画像信号を生成する。この画像信号は、ＲＯＭ４４ｂに予め保存されたテーブル等の情報に基づいて生成される。生成された画像信号は、２つのＬＶＤＳ（Ｌｏｗ  ｖｏｌｔａｇｅ  ｄｉｆｆｅｒｅｎｔｉａｌ  ｓｉｇｎａｌｉｎｇ）を介して、一対の有機ＥＬ素子５１ａ、５１ｂへそれぞれ出力され、これらの有機ＥＬ素子５１ａ、５１ｂには、携帯型電子機器１０４から出力された信号に対応する画像がそれぞれ表示される。２つの有機ＥＬ素子５１ａ、５１ｂのそれぞれへ出力する信号の位相は、ＰＬＬ４４ｃからＦＰＧＡ４４ａへ送られる同期信号にしたがって同期される。
【００２８】
一対の有機ＥＬ素子５１ａ、５１ｂは、一対の投映部５０ａ、５０ｂ内にそれぞれ配置されている。これらの投映部５０ａ、５０ｂが有する部材やその配置順序・位置などは、本体部４１に関して左右対称である。例えば、後側には、カバー部材５５ａ、５５ｂがそれぞれ配置され、これらの前側にはプリズムを内包した筐体５３ａ、５３ｂがそれぞれ配置されている。ここでは右側（Ｘ２側）の第１投映部５０ａについてのみ説明するが、左側（Ｘ１側）の第２投映部５０ｂも左右対称の同様の構成を有する。
【００２９】
図７と図８は第１投映部５０ａの分解斜視図であって、見る角度を変えたものである。図９は第１投映部５０ａの斜視図である。
図７乃至図９に示すように、第１投映部５０ａは、プリズム５４ａを内包する筐体５３ａを備える。筐体５３ａは、光を透過させず、かつ、防水・防塵性を備えた材料、例えばプラスチックで構成され、左側（Ｘ１側）と後側（Ｙ２側）に開口部５６ａ、５７ａをそれぞれ備える。左側の第１開口部５６ａには、固定枠５２ａ、有機ＥＬ素子５１ａ、リング材７０ａ、及び、蓋材６４ａがそれぞれ配置され、後側の第２開口部５７ａには、カバー部材５５ａが配置される。
【００３０】
第１有機ＥＬ素子５１ａは、表示範囲の外側の周縁部が固定枠５２ａに固定され、固定枠５２ａが筐体５３ａの第１開口部５６ａに固定されることによって、第１有機ＥＬ素子５１ａが筐体５３ａに固定される。さらに、第１有機ＥＬ素子５１ａの裏面（左側の面）を覆うように蓋材６４ａが配置されている。蓋材６４ａの裏面（左側の面）からは、板状の第１調整部材６５ａが左右方向に沿って延び出ている。図９に示すように、筐体５３ａの第１開口部５６ａから、固定枠５２ａ、第１有機ＥＬ素子５１ａ、及び、蓋材６４ａの外周面を覆うように、リング材７０ａが配置されている。リング材７０ａは、伸縮性と非透水性を有する材料、例えばゴムで構成されているため、覆っている各部材への水、ちり、ほこりなどの侵入を防止することができる。リング材７０ａは固定強度等の観点から、断面がＸ状のＸリングを用いることが好ましい。
【００３１】
第１有機ＥＬ素子５１ａで生成された画像に対応する光（画像光）は、第１開口部５６ａから筐体５３ａ内へ進行し、筐体５３ａ内に配置されたプリズム５４ａで屈折されて、第２開口部５７ａから出射される。なお、第１開口部５６ａからの入射光を第２開口部５７ａから出射できれば、プリズム以外の反射部材としての光学素子、例えば、反射ミラーを用いても良い。また、第１有機ＥＬ素子５１ａにおける画像の解像度、プリズム５４ａの仕様、対象者の眼に投映される画像の仕様などに応じて、コリメートレンズその他のレンズ、光拡散素子などを併用してもよい。また、第１開口部５６ａへ画像光を与えることができれば、有機ＥＬ素子に代えて、それ以外の素子を用いることもできる。
【００３２】
第２開口部５７ａには、これを覆うようにカバー部材５５ａが配設されている。カバー部材５５ａは、高い光透過性と、防水・防塵性を備えた材料、例えばプラスチックで構成する。カバー部材５５ａから第２開口部５７ａの外周面を覆うように、リング材７０ａと同様のリング材を配置すると、防水・防塵性を高めることができる。また、カバー部材５５ａにレンズ機能を持たせてもよく、例えば、プリズム５４ａからの出射光の集光位置を調整することもできる。
【００３３】
以上の構成の第１投映部５０ａ、及び、この第１投映部５０ａと対称な構成の第２投映部５０ｂは、図６、図１２、及び図１３に示すように、フレーム部４５の左右端にそれぞれ結合されている。フレーム部４５内には後述の間隔調整部６０が収容され、この間隔調整部６０は上側と前側が、画像生成部４４を実装した基板によって覆われ、さらに、その外側がカバー４１ａで覆われている。これにより、投映ユニット４０と、その左右両側の一対の投映部５０ａ、５０ｂは、内部へ水、ほこり、塵などが侵入しないような密閉された構造となる。さらに、投映ユニット４０と、一対の投映部５０ａ、５０ｂとの接合部をそれぞれ覆うように、伸縮性を備えた一対のリング材７０ａ、７０ｂをそれぞれ配設しているため、左右の投映部５０ａ、５０ｂの間隔を変化させたときも、内部へ水、ほこり、塵などが侵入することを防ぐことができる。
【００３４】
第１有機ＥＬ素子５１ａで生成された画像は第１投映部５０ａから、また、第２有機ＥＬ素子５１ｂで生成された画像は第２投映部５０ｂから、画像表示装置１０を装着した対象者の両眼に対してそれぞれ投映され、これらの投映によって表示された画像を対象者は観察可能となる。
ここで、２つの投映部５０ａ、５０ｂから投映される画像は、対象者の眼の網膜の所定範囲に到達すればよいため、投映部５０ａ、５０ｂはこれに対応する程度の大きさを有していれば良く、眼の視界を全面的に覆うような大きなサイズにする必要がない。投映部５０ａ、５０ｂをこのように小型化することから、画像表示装置１０を眼の前に配置した状態であっても、その両端側から外部の光景を視認することが可能となる。
【００３５】
図１１は投映ユニット４０における間隔調整部６０の部分を分解して示す斜視図である。図１２は間隔調整部６０を分解して示す斜視図である。図１１と図１２に示すように、間隔調整部６０は、２つの調整部材６５ａ、６５ｂと、上下方向において一対の調整部材６５ａ、６５ｂの間に配置された中間部材６３と、中間部材６３及び一対の調整部材６５ａ、６５ｂを上下から挟む、一対の案内部材６１、６２とを備える。
【００３６】
第１調整部材６５ａは、右側の第１投映部５０ａに設けた蓋材６４ａから左右方向に沿って左側の第２投映部５０ｂ側へ延び出ている。第２調整部材６５ｂは、第１調整部材６５ａとは略左右対称に、第２投映部５０ｂに設けた蓋材６４ｂから左右方向に沿って第１投映部５０ａ側へ延び出ている。これらの調整部材６５ａ、６５ｂには、その厚み方向（上下方向）に貫通する長穴１６５ａ、１６５ｂがそれぞれ設けられている。これらの長穴１６５ａ、１６５ｂは、左右方向、すなわち一対の投映部５０ａ、５０ｂの配置方向に沿って延びるように設けられている。
【００３７】
第２調整部材６５ｂは第１調整部材６５ａよりも上側に配置され、上下方向において一対の調整部材６５ａ、６５ｂの間には中間部材６３が配置されている。中間部材６３の下面には下側へ延びる第２突起部６３ａ（規制部）が設けられている。この第２突起部６３ａは、第１調整部材６５ａの長穴１６５ａに対応する位置に設けられている。
【００３８】
第２調整部材６５ｂの上側に配置された第２案内部材６２の下面には、第２調整部材６５ｂの幅（前後方向の長さ）に対応した幅を有する案内凹部６２ａが設けられ、この案内凹部６２ａには、下側へ延びる第１突起部６２ｂ（規制部）が設けられている。第１突起部６２ｂは、案内凹部６２ａ内に第２調整部材６５ｂを収容したときにその長穴１６５ｂ内に挿通される位置に設けられている。
【００３９】
第１調整部材６５ａの下側に配置された第１案内部材６１の上面には、第１調整部材６５ａの幅（前後方向の長さ）に対応した幅を有する案内凹部６１ａが設けられている。中間部材６３の第２突起部６３ａは、第１案内部材６１の案内凹部６１ａに第１調整部材６５ａを収容したときにその長穴１６５ａ内に挿通される位置に設けられている。
【００４０】
一対の案内部材６１、６２、及び、中間部材６３は、一対の調整部材６５ａ、６５ｂを間に介在させた状態で、フレーム部４５に対して固定される。このとき、第２調整部材６５ｂは第２案内部材６２の案内凹部６２ａ内で左右方向に摺動移動可能であり、第１調整部材６５ａは案内凹部６１ａ内で左右方向に摺動移動可能である。したがって、画像表示装置の使用者（対象者）が２つの投映部５０ａ、５０ｂをそれぞれ独立して左右方向に沿って動かすことが可能となり、自身の両眼の間隔に合わせた位置に、２つの投映部５０ａ、５０ｂをそれぞれ配置できるため、高品質の画像を観察することが可能となる。
【００４１】
図１３は、左右の投映部５０ａ、５０ｂを最も近づけた状態を示す平面図、図１４は、左右の投映部５０ａ、５０ｂを最も離した状態を示す平面図である。
第２調整部材６５ｂの長穴１６５ｂには第１突起部６２ｂが挿通されている。このため、第２調整部材６５ｂの左右方向の変位は、第１突起部６２ｂによって所定範囲に規制される。同様に、第１調整部材６５ａの長穴１６５ａには第２突起部６３ａが挿通されているため、第１調整部材６５ａの左右方向の変位は、第２突起部６３ａによって所定範囲に規制される。これらにより、図１３に示すように２つの投映部５０ａ、５０ｂが互いに最も近づいた状態と、図１４に示すように２つの投映部５０ａ、５０ｂが互いに最も離れた状態との間の所定範囲で２つの投映部５０ａ、５０ｂを変位させることができる。図１３に示す状態においては、第１突起部６２ｂが、第２調整部材６５ｂの長穴１６５ｂの最も左側の内面に当接し、かつ、第２突起部６３ａが、第１調整部材６５ａの長穴１６５ａの最も右側の内面に当接している。図１４に示す状態においては、第１突起部６２ｂが、第２調整部材６５ｂの長穴１６５ｂの最も右側の内面に当接し、かつ、第２突起部６３ａが、第１調整部材６５ａの長穴１６５ａの最も左側の内面に当接している。
なお、２つの投映部５０ａ、５０ｂはこれら２つの状態の間の変位状態とすることもできる。
【００４２】
なお、一対の調整部材６５ａ、６５ｂを左右方向に案内できれば、上述の構成以外の構成、例えば、中間部材６３に案内溝を設ける構成も可能である。また、一対の調整部材６５ａ、６５ｂの変位を規制できれば、上述の構成以外の構成、例えば、案内凹部６１ａ内や中間部材６３の上面に規制部としての突起部を設けても良い。
【００４３】
以上のように構成されたことから、上記実施形態によれば、次の効果を奏する。
（１）投映ユニット４０が角度調整機構３０を介して装着具２０に保持されているため、対象者である使用者の頭部に画像表示装置１０を装着した後に投映ユニット４０を上下に揺動させることができる。これにより、使用者が見やすい位置に投映ユニット４０を配置することが可能となり、例えば、画像表示装置１０の画像のみをみたい場合には眼の正面に配置し、また、画像表示装置１０の画像だけでなく、周辺の視界も十分に確保したい場合には、投映ユニット４０を眼より上方に配置する。また、投映ユニット４０を上下位置によって使用者の眼からの距離が変わるため、投映ユニット４０を上下に動かすことによって、使用者の視力に合わせた位置にすることができる。しかして、投映ユニット４０は、全体として小型に構成されているため、装着した状態であっても両端側から外部の光景を視認することができ、投映ユニット４０による画像を装着した状態で視認し確認することができる。
【００４４】
（２）一対の投映部５０ａ、５０ｂの間隔を調整可能とする間隔調整部６０を設けているため、使用者の両眼の間隔に合わせて、左右それぞれの眼の正面に一対の投映部５０ａ、５０ｂのそれぞれを配置できる。これにより、一対の投映部５０ａ、５０ｂのそれぞれから両眼の最適な位置に画像を投映することができ、高品質の画像表示が可能となる。
【００４５】
（３）一対の投映部５０ａ、５０ｂのそれぞれから、他方の投映部側へ延びるように一対の調整部材６５ａ、６５ｂを設け、これらが一対の投映部５０ａ、５０ｂの配置方向（左右方向）に沿って変位可能となるように案内する案内部材６１、６２を配設したため、使用者が容易に、所望の位置に、一対の投映部５０ａ、５０ｂを変位させることができる。
【００４６】
（４）一対の調整部材６５ａ、６５ｂの変位を所定範囲内に規制する規制部として、２つの突起部６２ｂ、６３ａを設けたため、一対の投映部５０ａ、５０ｂの変位の範囲を限定できる。これにより、投映部５０ａ、５０ｂと本体部４１との接続部分の防水・防塵性を確保しやすくなり、また、投映部５０ａ、５０ｂが本体部４１から外れる不具合を防止できる。
【００４７】
（５）画像生成部４４で生成された画像を、一対の有機ＥＬ素子５１ａ、５１ｂ上に生成させている。有機ＥＬ素子は薄型に形成できるため、投映部５０ａ、５０ｂの小型化・軽量化に資する。
【００４８】
（６）装着具２０を金属の曲げ加工によって形成しているため、製造コストを抑えることができる。
【００４９】
（７）装着具２０に鼻当て部３６を設けることによって、使用者の鼻の形によらずに適度な圧力で装着させることができる。なお、支持部３５及び鼻当て部３６は、眼鏡１００を装着した状態でも使用可能なように、支持部３５及び鼻当て部３６が眼鏡１００と干渉しないような十分な長さで構成されている。したがって、本実施形態に係る画像表示装置１０は、眼鏡１００を装着した状態でも使用することができる。
【００５０】
（８）装着具２０にコード１０１を保持する保持部２１とフック部２２が設けられているため、コード１０１は装着具２０に沿って延びるように配置される。これにより、装着具２０の装着状態を乱すことがなく、かつ、画像表示や対象者の動作の妨げとなることがない。
なお、以上の説明においては、一対の投映部５０ａ、５０ｂを設け、これに対応して一対の調整部材６５ａ、６５ｂを設けていたが、投映部や調整部材の数はこれに限定されない。
本発明について上記実施形態を参照しつつ説明したが、本発明は上記実施形態に限定されるものではなく、改良の目的または本発明の思想の範囲内において改良または変更が可能である。
【産業上の利用可能性】
【００５１】
以上のように、本発明に係る画像表示装置は、使用者の両眼の間隔の違いに影響を受けることなく、高い品質の画像表示を行うことができる点で有用である。
【符号の説明】
【００５２】
１０    画像表示装置
２０    装着具
２１    保持部
３０    角度調整機構
３１    支持材
３２    長板材
３３    軸部材
３４    結合孔部
３５    支持部
３６    鼻当て部
４０    投映ユニット
４１    本体部
４１ａ  カバー
４２    結合部
４３    導入孔
４４    画像生成部
４５    フレーム部
５０ａ、５０ｂ  投映部
５１ａ、５１ｂ  有機ＥＬ素子
５２ａ  固定枠
５３ａ、５３ｂ  筐体
５４ａ  プリズム
５５ａ、５５ｂ  カバー部材
５６ａ、５７ａ  開口部
６０    間隔調整部
６１、６２  案内部材
６１ａ、６２ａ  案内凹部
６２ｂ  第１突起部
６３    中間部材
６３ａ  第２突起部
６４ａ、６４ｂ  蓋材
６５ａ、６５ｂ  調整部材
７０ａ、７０ｂ  リング材
１００  眼鏡
１０１  コード
１０２  電子機器
１０２ａ  ＨＤＭＩレシーバー
１０２ｂ  電源
１０３    ケーブル
１０４    携帯型電子機器
１６５ａ、１６５ｂ  長穴
【図１】
2019101085.tif 000003
【図２】
2019101085.tif 000004
【図３】
2019101085.tif 000005
【図４】
2019101085.tif 000006
【図５】
2019101085.tif 000007
【図６】
2019101085.tif 000008
【図７】
2019101085.tif 000009
【図８】
2019101085.tif 000010
【図９】
2019101085.tif 000011
【図１０】
2019101085.tif 000012
【図１１】
2019101085.tif 000013
【図１２】
2019101085.tif 000014
【図１３】
2019101085.tif 000015
【図１４】
2019101085.tif 000016